(57)【要約】【課題】目視による色彩の変化の判断が確実にでき、排尿の有無の判別をすることができる尿検出用繊維物およびその製造方法を提供する。【解決手段】尿検出用繊維物である縫製糸１は、ｐＨ指示薬によって染色された羊毛糸を材料とした糸を、検出対象とする尿のｐＨの範囲外のｐＨの溶液に浸漬することによって得られる。この縫製糸１は、おむつの中央部分、つまり、被介護者の股間部と対応する位置に設けられるおむつパッド２の中央に複数列縫いつけられており、被介護者の尿が接触すると明確に色彩が変化するので、介護者はおむつに排尿が有ったかどうかを目視により判断することができる。【選択図】図１
2006214074.tif 000002
【特許請求の範囲】
【請求項１】
尿が触れることにより尿応答色に変色する色素を、前記尿が有する溶液特性条件以外の条件を持つ溶液で処理することによって前記尿応答色とは別の色を呈している尿検出用色素、を含む尿検出用繊維物。
【請求項２】
前記色素はｐＨ指示薬である請求項１記載の尿検出用繊維物。
【請求項３】
前記繊維物は、ポリアミド結合を有する繊維または高分子材料で構成されていることを特徴とする請求項２記載の尿検出用繊維物。
【請求項４】
前記尿が有する溶液特性条件以外の条件を持つ溶液が、尿のｐＨの範囲外のｐＨの溶液であり、ｐＨが５．５未満の酸性溶液またはｐＨが７．５超のアルカリ性溶液であることを特徴とする請求項２または３記載の尿検出用繊維物。
【請求項５】
前記色素は酸化還元反応によって色彩応答する酸化還元応答色素である請求項１記載の尿検出用繊維物。
【請求項６】
前記酸化還元応答色素はロイコ化合物である請求項５記載の尿検出用繊維物。
【請求項７】
請求項１から６のいずれかの項に記載の尿検出用繊維物を部分的または全体に使用したおむつ。
【請求項８】
請求項１から６のいずれかの項に記載の尿検出用繊維物により作製したおむつ付属品。
【請求項９】
繊維物を、ｐＨ指示薬を含む溶液により染色し、この染色した繊維物を検出対象とする尿のｐＨの範囲外のｐＨの溶液にて処理する尿検出用繊維物の製造方法。
【請求項１０】
前記検出対象とする尿のｐＨの範囲外のｐＨの溶液を、ｐＨが５．５未満の酸性溶液またはｐＨが７．５超のアルカリ性溶液とすることを特徴とする請求項９記載の尿検出用繊維物の製造方法。
【請求項１１】
尿が触れることにより尿応答色に変色する色素を、有機溶媒を主とする溶液で処理することによって前記尿応答色とは別の色を呈している尿検出用色素を得る工程と、前記尿検出用色素を繊維物に定着させる工程と
を含む尿検出用繊維物の製造方法。
【請求項１２】
おむつ類を貸し出し、使用後のおむつ類を回収し、洗濯をして再び貸し出すおむつ類レンタル業務方法において、
請求項２から４のいずれかの項に記載の尿検出用繊維物を部分的または全体に使用したおむつまたはおむつ付属品を貸し出し、貸し出した前記おむつまたはおむつ付属品を使用した後のおむつまたはおむつ付属品を回収し、回収したおむつまたはおむつ付属品を洗濯した後に尿のｐＨの範囲外のｐＨの溶液で処理し、この処理を施したおむつまたはおむつ付属品を再び貸し出し用のおむつまたはおむつ付属品とすることを特徴とするおむつ類レンタル業務方法。
【請求項１３】
おむつ類を貸し出し、使用後のおむつ類を回収し、洗濯をして再び貸し出すおむつ類レンタル業務方法において、
請求項２、５、６のいずれかの項に記載の尿検出用繊維物を部分的または全体に使用したおむつまたはおむつ付属品を貸し出し、貸し出した前記おむつまたはおむつ付属品を使用した後のおむつまたはおむつ付属品を回収し、回収したおむつまたはおむつ付属品を洗濯して尿応答色に変色した色素を除去し、新たな前記色素を有機溶媒を主とする溶液で処理して得られた尿検出用色素をおむつまたはおむつ付属品に定着させ、このおむつまたはおむつ付属品を再び貸し出し用のおむつまたはおむつ付属品とすることを特徴とするおむつ類レンタル業務方法。
【発明の詳細な説明】
【技術分野】
【０００１】
本発明は、排尿の有無の判別が容易な尿検出用繊維物の製造技術およびこれを備えたおむつ並びにおむつの利用方法に関する。なお、本明細書中では、乳幼児用のおむつ、介護用のおむつ、失禁用のパンツ、ショーツなどを総称しておむつという。
【背景技術】
【０００２】
繰り返し使用される布おむつや使い捨ての紙おむつなどのおむつ類は、目視により判断できる糞便や、尿によって繊維にシミが生じた場合を除いて、排泄の有無は、一般的に臭いや素手による触感などで判別される。しかし、使用済みのおむつを素手で触ることは衛生的にも好ましくなく、介護者の負担にもなっている。
【０００３】
このような問題を解決するために、使用済みであるか否かを目視により判断できる手段を備えた布おむつが特許文献１に記載されている。この布おむつは、布材に電極となる導電性繊維が二列以上間隔をおいて織り込まれている失禁センサーを備えており、この失禁センサーが失禁を検知するとブザーやランプ、振動などの報知手段によって使用者である被介護者又は介護者は失禁を知ることができる構成となっている。また、布おむつに織り込まれている導電性繊維は洗濯などによる抵抗値の変化などがないため、布おむつは繰り返し使用することができる。
【０００４】
しかし、特許文献１記載の布おむつには尿を検知したことを知らせる報知手段に電極を接続するためのコードなどが必要となり、この布おむつを使用することは、被介護者や介護者の双方にとって煩わしいものとなる。
【０００５】
これとは別に特許文献２には、電極などの手段を使わずに尿の異常を判断することができる尿検査おむつが記載されている。この尿検査おむつは、被介護者の股間部に対応する部分に設けられた吸水性シートに発色性反応試薬を含浸させており、この部分に尿が染みこむと、尿のｐＨや成分又はその濃度に応じて色が変わる構成となっている。
【０００６】
【特許文献１】特開２０００−１３９９８３号公報
【特許文献２】特開２００１−２８９８４５号公報
【発明の開示】
【発明が解決しようとする課題】
【０００７】
特許文献２に記載の尿検出用おむつは、反応試薬の発色により、電極などの手段を使わずに目視により尿の成分の異常を判断することができる。しかし、排尿の有無を判別することが目的ではなく尿の成分の異常を目視により判断することを目的としているため、所定のｐＨの範囲を越えた尿や、尿の成分に異常があるものでなければ反応試薬が明確に発色しないという問題がある。従って、正常な尿であれば反応試薬の色彩の変化に乏しいため、目視による色彩の変化の判断が難しくなり、排尿の有無の判別をすることができない。
【０００８】
そこで、本発明は上記問題点に鑑みて、目視による色彩の変化の判断が確実にでき、排尿の有無の判別をすることができる尿検出用繊維物とその製造方法および尿検出用繊維物を部分的または全体に使用したおむつとおむつ付属品並びにこれを用いたおむつ類レンタル業務方法を提供することを目的とする。
【課題を解決するための手段】
【０００９】
本発明の尿検出用繊維物は、尿が触れることにより尿応答色に変色する色素を、尿が有する溶液特性条件以外の条件を持つ溶液で処理することによって尿応答色とは別の色を呈している尿検出用色素、を含むものである。
【００１０】
尿が有する溶液特性条件で尿応答色に変色する色素を、尿が有する溶液特性条件以外の条件で処理することより、尿応答色とは別の色を呈している尿検出用色素が得られる。従って、この尿検出用色素を含む尿検出用繊維物に尿が触れると、尿検出用繊維物は尿応答色へと明確に色彩が変化する。よって、この尿検出用繊維物をおむつに適用すれば、目視による色彩の変化の判断から排尿の有無の判別を確実に行うことができる。なお、繊維物とは、繊維により構成されたものを示し、糸、織物、編み物、不織布、わた、などがあげられる。
【００１１】
尿が有する溶液条件で尿応答色に変色する色素としては、ｐＨ指示薬を用いることができる。この場合、尿検出用繊維物は、繊維物を、ｐＨ指示薬を含む溶液により染色し、この繊維物を、尿が有する溶液特性条件以外の条件を持つ溶液、つまり、検出対象とする尿のｐＨの範囲外のｐＨの溶液にて処理することによって製造される。
【００１２】
本発明の尿検出用繊維物は、ｐＨ指示薬により染色した繊維物を、検出対象とする尿のｐＨの範囲外のｐＨの溶液に浸漬したり、この溶液をスプレーで吹きつけたり、塗布したりする処理を施したことによって、使用前の尿検出用繊維物は、尿のｐＨの範囲外に対応する色を呈しているので、尿検出用繊維物に尿が触れると、尿検出用繊維物は明確に色彩が変化する。従って、この尿検出用繊維物をおむつに適用すれば、目視による色彩の変化の判断から排尿の有無の判別を確実に行うことができる。
【００１３】
人の尿は正常な場合においては中性〜弱酸性を示すが、患った病気によってはわずかにアルカリ性や酸性を示すことがある。そこで、本発明の尿検出用繊維物は、望ましくはｐＨ５．５〜７．５の尿で色彩が明確に変化するもの、より望ましくはｐＨ４〜８の尿で色彩が明確に変化するものがよい。ｐＨ５．５〜７．５の尿で色彩が明確に変化するものであれば、尿検出用繊維物の色彩の変化によって、目視により大部分の健康な人の尿を検出することができる。また、ｐＨ４〜８の尿で変色するものであれば、尿検出用繊維物の色彩の変化によって、目視により健康な人の尿だけでなく、病気を患った人の尿についても検出することができる。なお、異なったｐＨ指示薬により染色した尿検出用繊維物が変色するｐＨの領域が異なる場合、これら複数種類の尿検出用繊維物を組み合わせて用いても良い。これにより、どのような健康状態の尿であっても、確実に検出することができ、尿のｐＨ状態を詳細に知ることができる。
【００１４】
本発明の尿検出用繊維物は、繊維物がポリアミド結合を有する繊維または高分子材料で構成されていることが望ましい。尿検出用繊維物としてポリアミド結合を有する繊維または高分子材料を用いることにより、ｐＨ指示薬を繊維または高分子材料に化学的に強固に固定することができる。よって、染色された繊維物が、摩擦や洗濯などにより色落ちしたり、尿が触れたときの色の変化が不明確になったりしないので、使用後に洗濯を行うことによって、本発明の尿検出用繊維物を何度でも繰り返し使用することができる。ポリアミド結合を有する繊維や高分子材料としては、羊毛、絹、ナイロン、アラミド、プロミックス、羽毛、ポリウレタンなどが挙げられる。
【００１５】
本発明の尿検出用繊維物は、ｐＨ指示薬により染色した繊維物を、ｐＨが５．５未満の酸性溶液またはｐＨが７．５超のアルカリ性溶液で処理するとよい。上述したように、大部分の健康な人の尿は、ｐＨ５．５〜７．５の範囲である。そこで、染色した繊維物をｐＨ５．５未満の酸性溶液、もしくはｐＨ７．５超のアルカリ性溶液で処理すれば、使用前の尿検出用繊維物はｐＨ５．５〜７．５の範囲に対応した色以外の色を呈しているので、尿検出用繊維物に尿が触れた際、確実にその色彩が変化する。従って、介護者はその色彩変化により、排尿があったことを目視で明確に確認することができる。
なお、ｐＨ５．５〜７．５の範囲の溶液にて処理を行った場合は、このｐＨの領域は尿のｐＨの範囲と重なり、尿検出用繊維物に尿が触れても色彩の変化が明確にはならないので、目視による色彩の変化の判断から排尿の有無の判別をすることができない。
【００１６】
なお、病気を患った人の尿についても目視による色彩の変化の判断から排尿の有無の判別が可能なように、繊維物をｐＨ４未満の酸性溶液、もしくはｐＨ８超のアルカリ性溶液で処理すれば、使用前の尿検出用繊維物はｐＨ４〜８の範囲に対応した色以外の色を呈しているので、この場合も、介護者はその色彩変化により、排尿があったことを目視で明確に確認することができる。
【００１７】
なお、ｐＨ５．５未満またはｐＨ４未満の酸性溶液およびｐＨ７．５超またはｐＨ８超のアルカリ性溶液は、界面活性剤を加えることにより調整することができる。ｐＨ５．５未満またはｐＨ４未満の酸性溶液に調整する場合、前記界面活性剤以外にも、蟻酸、クエン酸、マレイン酸、乳酸等の脂肪族カルボン酸、また、ｐＨ７．５超またはｐＨ８．５超のアルカリ性溶液に調整する場合、前記の界面活性剤以外にも、炭酸水素ナトリウム、炭酸ナトリウムなどのアルカリ金属塩、あるいはアルカリ土類金属塩からなる塩類や市販の合成洗剤、石けんなどにより調整することができる。
【００１８】
また、本発明の尿検出用繊維物は、尿が触れることにより尿応答色に変色する色素を、尿が有する溶液特性条件以外の条件を持つ溶液で処理することによって尿応答色とは別の色を呈している尿検出用色素を製造し、この尿検出用色素を繊維物に定着させることによって得ることもできる。
【００１９】
例えば、尿が触れることにより尿応答色に変色する色素がｐＨ指示薬である場合、このｐＨ指示薬を含む溶液に、尿が有する溶液特性条件以外の条件を持つ溶液として、尿が有するｐＨ範囲以外のｐＨを有する酸またはアルカリ溶液を加えたり、有機溶媒を主とする溶液で処理したりすることによって、尿応答色とは別の色を呈している尿検出用色素の溶液が得られる。
【００２０】
また、尿が触れることにより尿応答色に変色する色素が、例えば、酸化還元応答色素である場合、この酸化還元応答色素を含む溶液に、尿が有する溶液特性条件以外の条件を持つ溶液として、例えば、有機溶媒を主とする溶液を加えることによって尿応答色とは別の色を呈している尿検出用色素の溶液が得られる。
【００２１】
上記のようにして得られた尿検出用色素の溶液を、塗布したり、スタンプやペンなどで繊維物にマーキングしたりして定着させることにより、尿検出用繊維物を得ることができる。
【００２２】
このようにして得られた尿検出用繊維物に尿が触れると、尿検出用色素は、ｐＨの変化に反応したり、酸化還元反応したりすることにより、尿応答色へと変色するので、尿検出用繊維物は明確に色彩が変化する。従って、この尿検出用繊維物をおむつに適用すれば、目視による色彩の変化の判断から排尿の有無の判別を確実に行うことができる。
【００２３】
ここで、酸化還元応答色素としては、ロイコ化合物を用いることができる。有機溶媒中でロイコ化合物と顕色剤を混ぜ合わせることにより、例えば、無色であったロイコ化合物が有色に変化した尿検出用色素が含まれた溶液（インク）を得ることができる。この溶液を、スタンプやペンなどで繊維物にマーキングして定着させることによって、尿検出用色素を含む尿検出用繊維物が得られる。このようにして得られた尿検出用繊維物に尿が触れることによって酸化還元反応が起こり、有色であった尿検出用繊維物は無色に変色する。従って、この尿検出用繊維物をおむつに適用すれば、目視による色彩の変化の判断から排尿の有無の判別を確実に行うことができる。
【００２４】
本発明の尿検出用繊維物を部分的または全体的に使用しておむつを作製したり、おむつの付属品を作製したりすることができる。
【００２５】
例えば、本発明の尿検出用繊維物である織物や編み物、または不織布などの布材そのものでおむつを作製したり、本発明の尿検出用繊維物である糸で市販の布材を縫製または刺繍したりしておむつを作製することができる。なお、縫製や刺繍をする場合、排尿があったときに糸が尿に触れて変色するように、使用者の股間部があたるおむつやパンツの股部分を全面に渡って縫い合わせたり、刺繍したりするとよい。
【００２６】
また、本発明の尿検出用繊維物である布材を用いて尿吸収シートやワッペン、シール、タグなどの付属品を作製したり、尿吸収シートやワッペン、シール、タグなどの市販の付属品に本発明の尿検出用繊維物である糸で縫製または刺繍したりしておむつ付属品を作製することができる。
【００２７】
本発明の尿検出用繊維物である糸を用いれば、市販の布材や既成のおむつや付属品に縫いつけるだけでよいので汎用性が高く、新たに本発明の尿検出用繊維物である布材でおむつや付属品を作製するよりも安価に提供することができる。
【００２８】
本発明のおむつ類レンタル業務方法は、おむつ類を貸し出し、使用後のおむつ類を回収し、洗濯をして再び貸し出すおむつ類レンタル業務方法において、本発明のｐＨ指示薬を含む尿検出用繊維物を部分的または全体に使用したおむつまたはおむつ付属品を貸し出し、貸し出したおむつまたはおむつ付属品を使用した後のおむつまたはおむつ付属品を回収し、回収したおむつまたはおむつ付属品を洗濯した後に尿のｐＨの範囲外のｐＨの溶液で処理し、この処理を施したおむつまたはおむつ付属品を再び貸し出し用のおむつまたはおむつ付属品とすることを特徴とする。
【００２９】
本発明のおむつ類レンタル業務方法によれば、本発明の尿検出用繊維物を部分的または全体に使用したおむつやおむつ付属品などのおむつ類を貸し出し、使用後のおむつ類を回収し、回収したおむつ類を洗濯した後に尿のｐＨの範囲外のｐＨの溶液で処理することによって、このおむつ類に再び尿が触れるとおむつ類は明確に色彩が変化するので、排尿の有無の判別を確実に行うことができるおむつ類をレンタルで提供することができる。使用後のおむつ類はおむつ類レンタル業務を行う者が回収してまとめて洗濯およびその後の処理を行うので、介護者の洗濯に係る負担やその後の処理の負担を減らすことができる。
【００３０】
本発明のおむつ類レンタル業務方法は、おむつ類を貸し出し、使用後のおむつ類を回収し、洗濯をして再び貸し出すおむつ類レンタル業務方法において、本発明の尿検出用色素を含む尿検出用繊維物を部分的または全体に使用したおむつまたはおむつ付属品を貸し出し、貸し出したおむつまたはおむつ付属品を使用した後のおむつまたはおむつ付属品を回収し、回収したおむつまたはおむつ付属品を洗濯して尿応答色に変色した色素を除去し、新たな色素を有機溶媒を主とする溶液で処理して得られた尿検出用色素をおむつまたはおむつ付属品に定着させ、このおむつまたはおむつ付属品を再び貸し出し用のおむつまたはおむつ付属品とすることを特徴とする。
【００３１】
本発明のおむつ類レンタル業務方法によれば、回収したおむつまたはおむつ付属品を洗濯することによって、尿応答色に変色した色素を除去することができる。洗濯後のおむつまたはおむつ付属品に、再び、新たな色素を有機溶媒を主とする溶液で処理して得られた尿検出用色素を定着させることによって、このおむつまたはおむつ付属品は洗濯後のきれいな状態であることを、作業者や使用者などに目視により認識させることができる。従って、レンタル業務で使用されるおむつまたはおむつ付属品の品質管理を確実に行うことができる。
【発明の効果】
【００３２】
本発明に係る尿検出用繊維物は、尿が触れるだけで尿応答色へと明確に色彩が変化するので、この尿検出用繊維物をおむつに適用すれば、目視による色彩の変化の判断から排尿の有無の判別を確実に行うことができる。
【００３３】
尿が有する溶液条件で変色する色素としてｐＨ指示薬を用いた尿検出用繊維物は、使用前は尿のｐＨの範囲外のｐＨに対応した色を呈しており、尿検出用繊維物に尿が触れると、使用前とは明確に色彩が変化するので、この尿検出用繊維物をおむつに適用すれば、目視による色彩の変化の判断を確実に行うことができ、排尿の有無を判断することができる。
【００３４】
本発明の尿検出用繊維物は、繊維物としてポリアミド結合を有する繊維を用いることにより、ｐＨ指示薬が繊維に化学的に強固に固定されるので、この尿検出用繊維物を使用後に洗濯し、さらに検出対象とする尿のｐＨの範囲外のｐＨの溶液にて処理することによって、本発明の尿検出用繊維物を何度でも繰り返し使用することができる。
【００３５】
本発明の尿検出用繊維物は、ｐＨ指示薬により染色した後、ｐＨが５．５未満の酸性溶液またはｐＨが７．５超のアルカリ性溶液で処理されているので、使用前の尿検出用繊維物はｐＨ５．５〜７．５の範囲に対応した色以外の色を呈しており、尿が触れた際、確実に尿検出用繊維物の色彩が変化する。従って、この尿検出用繊維物をおむつに適用すれば、介護者はその色彩変化により、排尿が有ったことを目視で明確に確認することができる。
【００３６】
尿が有する溶液条件で尿応答色へと変色する色素として酸化還元応答色素を用いた尿検出用繊維物に尿が触れることにより、尿検出用色素の酸化還元反応が起こり、色彩が明確に変化するので、この尿検出用繊維物をおむつに適用すれば、目視による排尿の有無の判別を確実に行うことができる。
【００３７】
酸化還元応答色素としてロイコ化合物を用いた尿検出用繊維物に尿が触れることにより、ロイコ化合物の酸化還元反応が起こり、尿応答色以外の有色であった尿検出用繊維物が尿応答色に変色するので、この尿検出用繊維物をおむつに適用すれば、目視による色彩の変化の判断から排尿の有無の判別を確実に行うことができる。
【００３８】
本発明のおむつ類レンタル業務方法によれば、排尿の有無の判別を確実に行うことができるおむつ類をレンタルで提供することができる。また、使用後のおむつ類はおむつ類レンタル業務を行う者が回収してまとめて洗濯およびその後の処理を行うので、介護者の洗濯に係る負担やその後の処理の負担を減らすことができる。
【発明を実施するための最良の形態】
【００３９】
（実施の形態１）
本発明の第１の実施の形態に係る尿検出用繊維物の作製について、本発明の尿検出用繊維物の一つである羊毛糸を例に説明する。本実施形態の繊維物は羊毛のほかに、絹、綿、レーヨン、アセテート、ナイロン、アクリル、プロミックス、ポリエステル、羽毛、ポリウレタンなどの繊維により構成され、形態としては糸のほかに、織物や編み物、または不織布などの布材やわたなどが挙げられる。なお、ｐＨ指示薬を化学的に強固に結合するために、羊毛、絹、ナイロン、プロミックス、羽毛、ポリウレタンなどのポリアミド結合を有する繊維や高分子材料により構成された繊維物、または、これらを混紡した繊維物を用いる方が望ましい。
【００４０】
本実施形態に用いられるｐＨ指示薬は、フェノールレッド、クロロフェノールレッド、キシレノールオレンジ、ブロモクロロフェノールブルー、ブロモフェノールレッド、ブロモクレゾールパープル、ブロモクレゾールグリーン、ブロモチモールブルー、メチルチモールブルー、パイロカテコールバイオレット等のフェノールスルホンフタレイン系化合物、ベーシックレッド５、アリザリンスルホン酸ナトリウム塩等のアントラキノン系化合物、ヘマトキシリン、カテコール、カテコール−３，５−ジスルホン酸２ナトリウム等のカテコール系化合物、パラロゾール酸、クリスタルバイオレット、クリスタルバイオレットラクトン、アシッドブルー１１９等のトリフェニルメタン系化合物、２−ヒドロキシ−１−（１−ヒドロキシ−２−ナフチルアゾ）−６−ニトロ−４−ナフタレンスルホン酸、モーダントブラック３等のアゾ化合物系化合物、α−ナフトールベンゼイン等のα−ナフトールベンゼイン系化合物、α−ナフトールフタレイン等のα−ナフトールフタレイン系化合物、２，４−ジニトロフェノール等のニトロフェノール系化合物、インディゴカルミン、ラクモイド、リトマス等が例示される。なお、これらのｐＨ指示薬は、単独で用いてもよいし、複数用いてもよい。
【００４１】
まず、上記のｐＨ指示薬を、０．００００１〜５質量％、好ましくは０．０００１〜０．５質量％程度水に溶かしてｐＨ指示薬の水溶液を作製する。なお、本実施形態では溶媒として水を使用しているが、これ以外にもエタノール、メタノール、酢酸、蟻酸などが溶媒として使用でき、これらの溶媒にｐＨ指示薬を溶かした後、適度な濃度になるように水で希釈して用いてもよい。
【００４２】
常圧または加圧の下で、４０〜１２０℃、好ましくは４５〜１００℃に加熱した十分な量のｐＨ指示薬の水溶液に、繊維物である羊毛糸を０．１〜３時間程度浸漬する。また、このような浸漬方法以外にも、ｐＨ指示薬の水溶液を羊毛糸にスプレーで吹きつけたり、塗布したりすることにより、羊毛糸を構成する繊維にｐＨ指示薬を化学的に固定させ、羊毛糸を染色することができる。
【００４３】
なお、ｐＨ指示薬をより強固に繊維に固定させ色の堅牢度を高めるために、酢酸や蟻酸、アニオン、ノニオン、カチオン系などの界面活性剤または固定剤などの染色助剤を使用するとよい。特に酢酸は、ｐＨ指示薬と繊維との結合を促進するものである。このような染色助剤はｐＨ指示薬の水溶液中に０．０００１〜１質量％程度溶解させて用いるとよい。また、鉄、銅、チタン、アルミニウム、亜鉛等の金属やタンニン酸等の有機物を媒染剤として繊維物である羊毛糸を媒染処理してもよい。この場合、これらの媒染剤を、ｐＨ指示薬で染色する際に同時に使用してもよいし、染色する前または染色した後に使用してもよい。このような媒染剤は水溶液中に０．０００１〜１質量％程度溶解させて用いるとよい。
【００４４】
上記のような染色処理を行った後、羊毛糸を水洗いすることによって繊維に固定されていないｐＨ指示薬や染色助剤等を洗い流す。この水洗いを数回行うことによって染色工程が終了する。この羊毛糸を乾燥させて、ｐＨ指示薬により染色された羊毛糸ができる。
【００４５】
次に、ｐＨ指示薬により染色されたこの羊毛糸に、検出対象とする尿のｐＨの範囲外のｐＨの溶液にて処理する後処理を行う。具体的な後処理工程としては、界面活性剤を投入した水溶液を作製し、この水溶液にｐＨ指示薬により染色された羊毛糸を浸漬した後、この羊毛糸を乾燥させる。ここで用いる界面活性剤とは、水溶液を、尿のｐＨの範囲外のｐＨを持つ水溶液、つまり、ｐＨ５．５未満の酸性溶液、あるいは、ｐＨ７．５超のアルカリ性溶液にすることができるものである。
【００４６】
ｐＨ５．５未満の酸性溶液は、例えば、水にノニオン系界面活性剤であるエルモアＳＡＰ（日華化学（株）製）を０．１質量％程度となるように溶かすことで得られる。また、ｐＨ７．５超のアルカリ性溶液は、例えば、水にカチオン系界面活性剤であるエルモア（日華化学（株）製）を０．１質量％程度、または炭酸水素ナトリウムを０．０１質量％程度添加することによって得られる。また、エルモアと炭酸水素ナトリウムを併用することによっても得られる。なお、後処理工程に用いる水溶液としては、環境問題や廃水処理の問題から、アルカリ性溶液を用いる方が望ましい。
【００４７】
この後処理工程により、後処理工程後の羊毛糸は、一般的な尿のｐＨの範囲外であるｐＨ５．５未満、またはｐＨ７．５超のｐＨに対応した色を呈しているので、この羊毛糸に尿が触れると、使用前とは明確に色彩が変化し、羊毛糸は尿応答色を示す。
【００４８】
例えば、ｐＨ指示薬にフェノールレッドを用いた場合、染色後の羊毛糸は黄色を呈しているが、ｐＨ７．５超のアルカリ性溶液で後処理を行った後は、桃色を示す。この羊毛糸に尿が触れると、羊毛糸は尿応答色である薄橙色に変色する。従って、このような後処理を施した羊毛糸をおむつとして使用した場合、色彩の変化が明確となり、介護者はその色彩変化により、排尿が有ったことを目視で明確に確認することができる。
【００４９】
なお、上述した後処理工程は、羊毛糸の染色工程の最終段階に引き続いて行うこともできる。つまり、染色工程の最終段階である水洗いの後、尿のｐＨの範囲外であるｐＨ５．５未満またはｐＨ７．５超のｐＨとすることができる界面活性剤を水に投入して、水溶液をｐＨ５．５未満またはｐＨ７．５超に調整し、この水溶液に羊毛糸を浸漬することによって、後処理を続けて行うことができる。また、これに限らず、この羊毛糸を用いておむつやおむつ付属品を作製した後に上記の後処理工程を行ってもよい。
【００５０】
本実施形態では、正常な人の尿の範囲であるｐＨ５．５〜７．５の範囲をもって検出対象とする尿のｐＨの範囲としたが、病気を患った人の尿も検出対象とする場合は、ｐＨ４〜８の範囲を検出対象とするとよい。
【００５１】
次に、図を用いて本実施形態の羊毛糸をおむつ付属品の一つである尿検出シートとしてのおむつパッドに用いた例を示す。図１は、本実施形態における羊毛糸を用いたおむつパッドを示す図である。
【００５２】
本実施形態の羊毛糸を材料とした縫製糸１は、おむつ（図示せず）の中央部分、つまり、被介護者の股間部に対応する位置に設けられるおむつパッド２の中央に複数列縫いつけられている。これにより、おむつパッド２のどの位置に尿が触れても縫製糸１の色彩が変化するので、介護者は容易に目視によりおむつパッド２に排尿があったかどうかを判断することができる。なお、縫製糸１は、できるだけ全面に渡っておむつパッド２に縫いつけられた方がよい。これにより、尿がおむつパッド２のどの位置に触れても縫製糸１の色彩が変化するので、介護者は目視により排尿の有無を判断することができる。
【００５３】
本実施形態では羊毛糸を材料とした縫製糸１をおむつパッド２に縫いつけた例を示したが、これ以外にも羊毛糸を材料とした刺繍糸でおむつパッド２に刺繍を施したり、おむつパッド２そのものを、羊毛糸を材料とした織物、編み物および不織布などの布材で作製したりしてもよい。以上のような場合は、おむつパッド２のみを洗濯すればよいので、洗濯にかかる負担を減らすことができる。また、これとは別に、羊毛糸で作製したワッペンやタグなどをおむつに縫いつけたりしてもよい。ワッペンやタグなどの場合は、おむつの尿が触れる部分に取り付ければ、介護者がおむつに排尿があったかどうかを目視により判断することができる。
【００５４】
なお、乳幼児用のおむつ、介護用のおむつという形態だけでなく、失禁用のパンツ、ショーツおよびその付属品とすることもできる。介護用のおむつは、寝たきりとなった被介護者だけでなく、事故や病気、老化などにより排泄に対して感覚が鈍くなった人についても必要となる場合がある。これらの人々は介護を積極的に必要としないため、おむつという形態に抵抗感を与えてしまうことがある。そこで、パンツやショーツという形態にすれば、周りの視線を気にすることなく使用することができ、また、使用者が自分で簡単に新しいものに取り替えることも可能となる。
【００５５】
また、本実施形態で作製したおむつをレンタルおむつとすることができる。
例えば、本実施形態の羊毛糸を材料とした布材を用いておむつを作製する。これをレンタルおむつとして被介護者にレンタルし、使用してもらう。使用後のおむつは業者が回収し、一箇所に集めて工場にて洗濯処理を行う。洗濯処理は一般的な洗濯と同じであり、洗剤を用いて洗浄した後、すすぎを行う。尿のｐＨの範囲は通常ｐＨ５．５〜７．５であり、すすぎを行う水もほぼ中性の約ｐＨ７であるので、すすぎ後のおむつは尿のｐＨの範囲内の色を呈していることとなる。そこで、すすぎが終了した後、この水溶液に界面活性剤を投入してｐＨを調整し、この水溶液におむつを浸漬した後乾燥させる。これにより、おむつは尿のｐＨの範囲外の色に対応した色となっている。これを再びレンタルおむつとしてレンタルする。
【００５６】
本実施形態のおむつは、ポリアミド結合を有する繊維から構成される羊毛糸を材料とした布材により作製されているので、ｐＨ指示薬が繊維に化学的に強固に固着しており、擦れたり水洗いしたりしても色落ちしにくく、摩擦や洗濯に対する色の堅牢度が高い。加えて、本実施形態のおむつは、洗濯処理を行った後に尿のｐＨの範囲外のｐＨを持つ溶液にて浸漬されており、尿のｐＨの範囲外に対応する色を呈しているので、再びこのおむつに尿が触れると色彩の変化が明確に現れ、介護者はこの色彩の変化によりおむつに排尿が有ったことを目視で確認することができる。つまり、本実施形態のおむつは何度でも繰り返し使用することができ、レンタルおむつとして好適となる。さらに、業者が使用後のおむつを回収し、一括して洗濯処理、および洗濯後に尿のｐＨの範囲外のｐＨを持つ溶液にて浸漬する処理を行うので、介護者の洗濯に係る負担や洗濯後の処理の負担を減らすことができる。なお、上述したおむつパッドのみをレンタルとしてもよい。
【００５７】
（実施の形態２）
本発明の第２の実施の形態に係る尿検出用繊維物の作製について、酸化還元応答色素としてロイコ化合物を用いた場合を例に説明する。ロイコ化合物を顕色剤といっしょに有機溶媒中で混合すると、例えば、無色から有色の溶液となり、尿が触れると溶液は有色から無色に近い状態に変色する。
【００５８】
まず、ロイコ化合物、顕色剤、繊維物に対する滲み防止剤および繊維物上での消色を促進する助剤を有機溶媒中で混合する。本実施形態に用いられるロイコ化合物としてはクリスタルバイオレットラクトン等のトリフェニルメタン系化合物、１，３，３−トリメチルインドリノ−８’−メトキシベンゾピリロスピラン等のスピロピラン系化合物、ローダミンＢラクタム、６−ジエチルアミノ−ベンゾ[ａ]フルオラン等のキサンテン系化合物が、顕色剤としては、蟻酸、クエン酸、マレイン酸、乳酸、酒石酸、フマル酸、無水マレイン酸等の脂肪族カルボン酸、または脂肪族カルボン酸誘導体、没食子酸、プロトカテキュアルデヒド、エチル没食子酸、ドデシル没食子酸、ステアリル没食子酸等の芳香族カルボン酸、または芳香族カルボン酸エステル、塩化カルシウム、塩化マグネシウム、塩化リチウム、塩化バリウム、塩化カリウム、塩化亜鉛等の無機塩などが例示される。これらの顕色剤は、単独もしくは複数種の併用において用いることができる。
【００５９】
また、滲み防止剤としては、エチルセルロース、メチルセルロース、ヒドロキシアルキルセルロース、エチルヒドロキシエチルセルロース、カルボキシメチルセルロース等のセルロース誘導体、デンプンフラクション、アミロース、アミロペクチン、デキストリン等のデンプン誘導体、ポリビニルアルコールなどの化合物が例示される。これらの滲み防止剤は、単独もしくは複数種の併用において用いることができる。消色を促進する助剤としては、フタル酸ジメチル等のフタル酸エステル、ステアリン酸、オレイン酸、パルミチン酸等の脂肪酸または脂肪酸塩、グリセリンなどの化合物が例示される。これらの消色を促進する助剤は、単独もしくは複数種の併用において用いることができる。
【００６０】
さらに、有機溶媒としては、メタノール、エタノール、イソプロピルアルコールなどのアルコール類、アセトン、メチルアセトン、エチルメチルケトン等のケトン類、ヘキサン、へプタン、石油エーテル等の飽和炭化水素、エチルエーテル、イソプロピルエーテル等のエーテル類、酢酸メチル、酢酸エチル等の酢酸エステル、エチレングリコールモノメチルエーテル、エチレングリコールモノエチルエーテル等のグリコールエーテル類が例示される。これらの有機溶剤は、単独もしくは複数種の併用において用いることができる。
【００６１】
ロイコ化合物と顕色剤と滲み防止剤とを有機溶媒に混合し、室温〜７０℃で５分〜２４時間程度撹拌、または、超音波をかけて超音波処理を行う。有機溶媒中で顕色剤と混合させたことにより、尿応答色以外の有色に変化し、これが、尿検出用色素となる。この尿検出用色素を含んだ有色の混合溶液を、スタンプやペンのインクとして用いることにより、尿検出用色素を繊維物に容易に定着させることができる。
【００６２】
ここで用いられる繊維物は、第１実施形態で説明したように、羊毛のほかに、絹、綿、レーヨン、アセテート、ナイロン、アクリル、プロミックス、ポリエステル、羽毛、ポリウレタンなどの繊維により構成されているものである。本実施形態における尿検出用色素を含んだ混合溶液は、溶液中に滲み防止剤が含まれていることから、繊維物に、スタンプやペンなどで混合溶液を定着させても、繊維物の内部まで混合溶液が浸透する、いわゆる滲みを防止することができる。
【００６３】
例えば、混合溶液に滲み防止剤が含まれていないと、混合溶液は繊維物の内部まで深く浸透してしまい、滲んだ状態となるので、この部分に尿が触れても、尿検出用色素は十分に変色しない。しかしながら、本実施形態においては、混合溶液に滲み防止剤が含まれているので、混合溶液を使用したスタンプやペンなどで繊維物の表面に筆記すると、混合溶液は繊維物の内部まで浸透することなく、繊維物の表面でしっかりと定着する。従って、この部分に尿が触れると、尿検出用繊維物は有色から無色に近い状態へと十分に変色することができるので、排尿があったことを目視によってはっきりと確認することができる。
【００６４】
また、本実施形態では、混合溶液は、繊維物上での消色を促進する助剤も含んでいるので、さらに、尿検出用繊維物の色彩の変化を明確にすることができる。
【００６５】
また、尿が触れたことによって有色から無色に近い状態へと変化した尿検出用繊維物を洗濯すれば、繊維物に定着していた変色後の混合溶液の成分を容易に除去することができる。そして、洗濯後の繊維物に再びスタンプやペンで混合溶液をマーキングして定着させれば、繊維物は再度、尿検出用繊維物として使用することができる。
【００６６】
このことから、本実施形態で用いた有色の混合溶液をインクとして、上述したような繊維物で製造されたおむつにスタンプやペンなどでマーキングすれば、このおむつをレンタルおむつとして使用することができる。レンタルおむつとして被介護者にレンタルして使用してもらい、使用後のおむつを業者が回収し、一箇所に集めて工場にて洗濯処理を行う。洗濯を行ったことにより、変色後の混合溶液の成分は完全に除去されているので、再度、混合溶液をインクとしてスタンプやペンなどでおむつにマーキングする。これにより、マーキングされているおむつは、洗濯後のきれいな状態であることを、作業者や介護者などに目視により認識させることができる。よって、レンタルおむつの品質管理も確実に行うことができる。
【実施例】
【００６７】
（実施例１）
実施例１として、以下の６種類の各ｐＨ指示薬で染色した糸を酸性溶液（ｐＨ４．６）、アルカリ性溶液（ｐＨ８．５）にそれぞれ浸漬したときの色、また、この糸を特に正常な人の尿（ｐＨ６〜７）に浸漬したときの色を表１に示す。
【００６８】
（サンプル１）０．００２４質量％クロロフェノールレッド（Ａｌｄｒｉｃｈ製）、０．０５９質量％酢酸（和光純薬工業（株）製）の溶液を１７リットル調整し、この溶液に羊毛糸１ｋｇを入れ、９５℃で１時間処理し、水洗いした後乾燥させて、グレーの糸を得た。
（サンプル２）０．００２４質量％フェノールレッド（キシダ化学（株）製）、０．０５９質量％酢酸（和光純薬工業（株）製）の溶液を１７リットル調整し、この溶液に羊毛糸１ｋｇを入れ、９５℃で１時間処理し、水洗いした後乾燥させて、黄色の糸を得た。
（サンプル３）０．００２９質量％ブロモフェノールレッド（東京化成工業（株）製）の溶液を１７リットル調整し、この溶液に羊毛糸１ｋｇを入れ、９５℃で１時間処理し、水洗いした後乾燥させて、グレーの糸を得た。
（サンプル４）０．００１８質量％ブロモクレゾールパープル（キシダ化成（株）製）の溶液を１７リットル調整し、この溶液に羊毛糸１ｋｇを入れ、９５℃で１時間処理し、水洗いした後乾燥させて、薄青色の糸を得た。
（サンプル５）０．００１８質量％ブロモチモールブルー（キシダ化成（株）製）の溶液を１７リットル調整し、この溶液に羊毛糸１ｋｇを入れ、９５℃で１時間処理し、水洗いした後乾燥させて、黄緑色の糸を得た。
（サンプル６）０．００１質量％ブロモチモールブルー（キシダ化成（株）製）の溶液を１８リットル調整し、この溶液に絹糸６００ｇを入れ、９５℃で１時間処理し、水洗いした後乾燥させて、黄色の糸を得た。
【００６９】
【表１】
2006214074.tif 000003
【００７０】
次に、サンプル１〜６の染色後の糸をアルカリ性溶液（ｐＨ８．５）に浸漬し尿検出用繊維物である糸とした後、各ｐＨに浸漬したときの色変化と、スペクトロカラーメータ（Ｓｐｅｃｔｒｏ  Ｃｏｌｏｒ  Ｍｅｔｅｒ  ＳＥ２０００，日本電子工業（株）製）で評価した色差値ΔＥを表１に示す。この色差値ΔＥは、値が大きければ大きいほど試験前のサンプルの色との変化が明確に現れたことを意味する。
【００７１】
【表２】
2006214074.tif 000004
【００７２】
表２に示すように、ｐＨ指示薬にて染色した後、尿のｐＨの範囲外のアルカリ性側であるｐＨ８．５の溶液に浸漬した糸は、ｐＨ８．５およびｐＨ８．２の溶液に浸しても大きな色彩の変化が見られなかったが、尿の主なｐＨ領域であるｐＨ５．５〜７．５、特に最も正常値であるｐＨ６〜７の間で明確に色彩が変化した。また、酸性側であるｐＨ４．６の溶液に浸漬した場合も、尿の主なｐＨ領域であるｐＨ５．５〜７．５、特に正常値であるｐＨ６〜７の間で明確に色彩が変化した。
【００７３】
次に、サンプル１〜６の各染色糸の色堅牢度を、日本工業規格により定められた摩擦試験（ＪＩＳ  Ｌ０８４９）および洗濯試験（ＪＩＳ  Ｌ０８４４）により評価した結果を表３に示す。
【００７４】
摩擦試験では、摩擦試験機を用いて試験糸の束（幅２．５ｃｍ）と添付白布を互いに一定の速度で１００回摩擦する。なお、この試験においては、添付白布が乾燥状態と湿潤状態の２通りで行う。また、洗濯試験では、２種類の添付白布（試験糸と同じ種類の繊維で作られた白布および綿白布）を試験糸の束（幅２．５ｃｍ）に密着させて試験片とし、これらを規定された石けん液とともに試験瓶に入れ、規定の洗濯機を用いて３０分間、５０℃で洗濯する。
【００７５】
なお、これらの堅牢度試験において添付した白布の汚染は、ＪＩＳ規定の汚染用グレースケール（ＪＩＳ  Ｌ０８０５）にて判定を行った。グレースケールは添付した白布に生じた汚染の程度を視覚によって判定する基準となるものであり、規定の色差で１から５級まで振り分け、１，１−２、２、２−３・・・級などの９つの色票で示す。１級が最も汚染されており、級数が増加するごとに汚染されていないことを表している。
【００７６】
【表３】
2006214074.tif 000005
【００７７】
表３に示されるように、サンプル１〜６の各染色糸は、摩擦および洗濯に対して色堅牢度が高いことがわかった。
【００７８】
また、本発明の実施の形態と同様に、サンプル６の糸を材料とした縫製糸（黄色）を中央部に縫いつけたおむつパッドを、試験用おむつパッドとした。この試験用おむつパッドをｐＨ８．５の水溶液で処理し（緑色）、乾燥させた後に人工尿（質量％で尿素１．９％、ＮａＣｌ０．８％、ＭｇＣｌ2０．１％、ＣａＣｌ2０．１％。ｐＨは６．６）または、健康な被験者３名（男２名、女１名）の尿を接触させた。この結果、いずれの場合においても試験用おむつパッドの縫製糸は緑色から黄・黄緑混色に変化し、この試験用おむつパッドに尿が接触したことを確認できた。
【００７９】
（実施例２）
実施例２として、尿検出用色素を含むサンプル溶液（インク）を６種類作成した。
（サンプル１）変色色素としてクリスタルバイオレットラクトン０．９％、顕色剤として無水マレイン酸１．８％、繊維物に対する滲み防止剤としてエチルセルロース２．８％、繊維物上での消色を促進する助剤としてフタル酸ジメチル０．９％を、イソプロピルアルコールに混合し、７０℃で約１時間撹拌して濃紺色のインクを得た。
（サンプル２）変色色素としてクロロフェノールレッド０．９％、ギ酸３．７％、繊維物に対する滲み防止剤としてエチルセルロース２．８％を、イソプロピルアルコールに混合し、７０℃で約１時間撹拌して赤色のインクを得た。
（サンプル３）変色色素としてブロモチモールブルー０．９％、ギ酸３．７％、繊維物に対する滲み防止剤としてエチルセルロース２．８％を、イソプロピルアルコールに混合し、７０℃で約１時間撹拌して黄色のインクを得た。
（サンプル４）変色色素としてブロモチモールブルー１．０％、繊維物に対する滲み防止剤としてエチルセルロース２．９％を、イソプロピルアルコールに混合し、７０℃で約１時間撹拌して黄色のインクを得た。
（サンプル５）変色色素としてブロモクレゾールパープル０．９％、ギ酸３．７％、繊維物に対する滲み防止剤としてエチルセルロース２．８％を、イソプロピルアルコールに混合し、７０℃で約１時間撹拌して黄色のインクを得た。
（サンプル６）変色色素としてブロモクレゾールパープル１．０％、繊維物に対する滲み防止剤としてエチルセルロース２．９％を、イソプロピルアルコールに混合し、７０℃で約１時間撹拌して黄色のインクを得た。
【００８０】
それぞれのサンプル溶液をポリエステル生地に塗布し、乾燥させて尿検出用繊維物を作製した。この尿検出用繊維物０．２ｇを、人工尿（質量％で尿素１．９％、ＮａＣｌ０．８％、ＭｇＣｌ2０．１％、ＣａＣｌ2０．１％）２０ｍｌに３０分間浸漬し、色差値を測定した。その結果を表４に示す。
【００８１】
【表４】
2006214074.tif 000006
【００８２】
表４に示すように、サンプル１〜６のいずれにおいても、尿検出用繊維物の色は明確に色彩が変化した。
【００８３】
実施例３、４として、尿検出用色素を含むサンプル溶液（インク）を、繊維に定着させた後、熱をかけることにより明確に尿応答色以外の有色にした尿検出用繊維物を作製した。
（実施例３）
変色色素としてクリスタルバイオレットラクトン１％、顕色剤としてクエン酸２％、消色剤とクリスタルバイオレットラクトンの溶解液としてフタル酸ジメチル５％をエタノールに加え、室温で１０分間程超音波にて処理して１ｍｌのインクを作製した。このインクを綿（日本工業規格  ＪＩＳ  ０８０３）表面に塗布したところ、濃紺色は直ちに無色に変化した。その後、１００℃の乾燥機に５分間放置したところ再び発色して青色の尿検出繊維物を得た。この尿検出繊維物０．２ｇに人工尿（質量％で尿素１．９％、ＮａＣｌ０．８％、ＭｇＣｌ2０．１％、ＣａＣｌ2０．１％）２０ｍｌに１分間浸漬したところ、尿検出用繊維物の色彩変化は青色から薄い水色へ明確に色彩が変化し、その色差値ΔＥは２４．０であった。
【００８４】
（実施例４）
変色色素として１，３，３−トリメチルインドリノ−８'−メトキシベンゾピリロスピラン０．９％、顕色剤としてＣａＣｌ2１．９％、繊維物に対する滲み防止剤としてエチルセルロース２．８％を、イソプロピルアルコールに混合し、７０℃で約１時間撹拌して濃紫の変色色素溶液を得た。これらの混合溶液７５μＬをポリエステル生地に塗布したところ、淡紫色となった。その後、１００℃で３０分間、高温処理することにより、濃紫色に発色し、尿検出繊維物を得た。この尿検出繊維物０．２ｇを、人工尿（質量％で尿素１．９％、ＮａＣｌ０．８％、ＭｇＣｌ2０．１％、ＣａＣｌ2０．１％）２０ｍｌに３０分間浸漬したところ、尿検出用繊維物の色は濃紫色から無色へ明確に色彩が変化しその色差値ΔＥは２３であった。
【００８５】
（実施例５）
０．１％クリスタルバイオレットラクトンの５０％エタノール水溶液に１．５ｇ絹２−２号（日本工業規格  ＪＩＳ  ０８０３）を入れて、７０℃で３０分間染色処理し、水洗した後乾燥させて、薄い水色の生地を得た。この尿検出繊維物０．２ｇは、０．５％マルセル石鹸を用いた日本工業規格の洗濯試験方法（ＪＩＳ  Ｌ０８４４  Ａ−２法）により洗濯、乾燥させて、無色の尿検出用繊維物にした。その後、人工尿（質量％で尿素１．９％、ＮａＣｌ０．８％、ＭｇＣｌ2０．１％、ＣａＣｌ2０．１％）２０ｍｌに１分間浸漬したところ、尿検出用繊維物の色彩変化は無色から青色へ明確に色彩が変化し、その色差値ΔＥは１６．７であった。さらに、この尿検出繊維物を洗濯、乾燥させたところ、再び無色となり、人工尿で前記と同様に青色に色彩変化したことから、繰返し色彩変化することが明らかとなった。
【産業上の利用可能性】
【００８６】
本発明の尿検出用繊維物は、目視による排尿の判断が確実にできるので、おむつおよびおむつ付属品などに有用である。
【図面の簡単な説明】
【００８７】
【図１】本実施形態における尿検出用繊維物を用いたおむつパッドを示す図である。
【符号の説明】
【００８８】
１  縫製糸
２  おむつパッド
【図１】
2006214074.tif 000007